(57)【要約】  【課題】  複数種の補正処理を一括して同時に行うことができ、回路規模の大幅な縮小と処理時間の大幅な短縮とを実現できる画像処理装置を提供する。  【解決手段】  基準画像を読み取ってＣＣＤ１Ｒ，１Ｇ，１Ｂで得られる各色成分の画像信号から、各種の補正処理（ガンマ補正、シェーディング補正など）を行うための補正データを生成しておく。対象画像を読み取って得られる複数の色成分毎のアナログの画像信号を増幅し、生成しておいた補正データに基づいて設定したリファレンス電圧に基づき、Ａ／Ｄ変換器３Ｒ，３Ｇ，３Ｂにて、その増幅後のアナログの画像信号をデジタルの画像信号に変換する。アナログの画像信号からデジタルの画像信号へ変換する際に各種の補正処理を施したことになり、各種の補正処理を行うために各別の補正回路を設ける必要がなく、回路規模が大幅に縮小し、補正処理に要する時間は短くなる。【選択図】      図１
2007049396.tif 000002
【特許請求の範囲】
【請求項１】
対象画像を読み取って得られる複数の色成分毎のアナログの画像信号を増幅し、増幅後のアナログの画像信号をリファレンス電圧に基づきデジタルの画像信号に変換し、変換後のデジタルの画像信号を出力する過程で、複数の補正処理を行う画像処理装置において、  基準画像を読み取って得られる画像信号から、前記複数の補正処理のうちの一部または全部の補正処理を行うための補正データを生成する生成手段と、
該生成手段により生成した補正データに基づいて前記リファレンス電圧を設定する手段とを備えたことを特徴とする画像処理装置。
【請求項２】
前記生成手段は、前記複数の色成分のうちの一部の色成分については、前記基準画像を読み取って得られる該一部の色成分の画像信号を前記補正データとし、残りの色成分については、前記基準画像を読み取って得られる該残りの色成分の画像信号と前記一部の色成分の画像信号との差分信号を前記補正データとするようにしてあることを特徴とする請求項１に記載の画像処理装置。
【請求項３】
前記複数の補正処理は、アナログゲイン補正、ガンマ補正、及びシェーディング補正を含むことを特徴とする請求項１または２に記載の画像処理装置。
【発明の詳細な説明】
【技術分野】
【０００１】
本発明は、画像を読み取って得られる画像信号に対して複数の補正処理を行う画像処理装置に関し、特に、補正処理用の回路構成を簡略化した画像処理装置に関する。
【背景技術】
【０００２】
各色成分毎にイメージセンサを設けて、各イメージセンサで画像を読み取って得られる各色成分毎の画像信号に対して処理を行う画像処理装置がある。図５は、従来の画像処理装置の構成を示すブロック図である。図５において、１１Ｒ、１１Ｇ、１１Ｂはそれぞれ、Ｒ成分、Ｇ成分、Ｂ成分の画像信号を取得するイメージセンサとしてのＣＣＤである。
【０００３】
Ｒ成分の信号系統は、ＣＣＤ１１Ｒに加えて、ＣＣＤ１１Ｒの出力信号を増幅する増幅器１２Ｒと、増幅器１２Ｒのゲイン補正（各色成分のレベル差の補正）を行うアナログゲイン補正回路１３Ｒと、アナログの画像信号をデジタルの画像信号に変換するＡ／Ｄ変換器１４Ｒと、ガンマ補正（ＣＣＤ１１Ｒで読み取られた画像信号の輝度を人間の視覚特性に応じて調整するための補正）を行うガンマ補正回路１５Ｒと、シェーディング補正（ＣＣＤ１１Ｒの感度不均一性に起因した光量歪みの補正）を行うシェーディング補正回路１６Ｒとを備えている。また全く同様に、Ｇ成分の信号系統は、ＣＣＤ１１Ｇに加えて、増幅器１２Ｇ、アナログゲイン補正回路１３Ｇ、Ａ／Ｄ変換器１４Ｇ、ガンマ補正回路１５Ｇ、及びシェーディング補正回路１６Ｇを備え、Ｂ成分の信号系統は、ＣＣＤ１１Ｂに加えて、増幅器１２Ｂ、アナログゲイン補正回路１３Ｂ、Ａ／Ｄ変換器１４Ｂ、ガンマ補正回路１５Ｂ、及びシェーディング補正回路１６Ｂを備えている。
【０００４】
このような画像処理装置にあっては、各色成分毎に、複数の補正処理それぞれを行うための回路を各補正処理毎に別個に独立させて設けているので、全体の回路構成が複雑であって回路規模が大型であるという難点がある。
【０００５】
そこで、イメージセンサにより読み取って得られる各色成分毎の画像信号に対して、マルチプレクサを利用し、複数の色成分で共有のガンマ補正回路及びシェーディング補正回路を用いるように構成して、回路規模の縮小を図った画像処理装置が提案されている（特許文献１参照）。
【特許文献１】特開平１１−１７７８１３号公報
【発明の開示】
【発明が解決しようとする課題】
【０００６】
しかしながら、特許文献１の画像処理装置では、アナログゲイン補正回路、ガンマ補正回路、及びシェーディング補正回路を独立して別個に設ける点が、図５に示した画像処理装置と変わっておらず、回路規模の十分な縮小がなされているとは言えない。また、図５に示した画像処理装置、及び特許文献１の画像処理装置の何れも、画像信号に対して、アナログゲイン補正回路、ガンマ補正回路、シェーディング補正回路にて順次補正処理が施されるので、それぞれの補正処理に要する時間が加算されて全体の処理時間が長くなるという問題がある。
【０００７】
本発明は斯かる事情に鑑みてなされたものであり、アナログゲイン補正、ガンマ補正、シェーディング補正などの補正処理を一括して同時に行うことができ、回路規模の大幅な縮小と処理時間の大幅な短縮とを実現できる画像処理装置を提供することを目的とする。      
【０００８】
本発明の他の目的は、上述したような一括の補正処理に使用する補正データを少ない容量にて蓄積することができる画像処理装置を提供することにある。
【課題を解決するための手段】
【０００９】
本発明に係る画像処理装置は、対象画像を読み取って得られる複数の色成分毎のアナログの画像信号を増幅し、増幅後のアナログの画像信号をリファレンス電圧に基づきデジタルの画像信号に変換し、変換後のデジタルの画像信号を出力する過程で、複数の補正処理を行う画像処理装置において、基準画像を読み取って得られる画像信号から、前記複数の補正処理のうちの一部または全部の補正処理を行うための補正データを生成する生成手段と、該生成手段により生成した補正データに基づいて前記リファレンス電圧を設定する手段とを備えたことを特徴とする。
【００１０】
本発明の画像処理装置にあっては、基準画像を読み取って得られる画像信号から、各種の補正処理を行うための補正データを生成しておき、対象画像を読み取って得られる複数の色成分毎のアナログの画像信号を増幅し、生成しておいた補正データに基づいて設定したリファレンス電圧に基づき、その増幅後のアナログの画像信号をデジタルの画像信号に変換する。よって、アナログの画像信号からデジタルの画像信号へ変換する際に各種の補正処理を施したことになり、従来例のように各種の補正処理を行うために各別の補正回路を設ける必要がなく、回路規模が大幅に縮小し、また補正処理に要する時間は短くなる。      
【００１１】
本発明に係る画像処理装置は、上記構成において、前記生成手段は、前記複数の色成分のうちの一部の色成分については、前記基準画像を読み取って得られる該一部の色成分の画像信号を前記補正データとし、残りの色成分については、前記基準画像を読み取って得られる該残りの色成分の画像信号と前記一部の色成分の画像信号との差分信号を前記補正データとするようにしてあることを特徴とする。
【００１２】
本発明の画像処理装置にあっては、複数の色成分のうちの一部の色成分については、基準画像を読み取って得られる画像信号を補正データとし、残りの色成分については、基準画像を読み取って得られる画像信号と一部の色成分の画像信号との差分信号を補正データとする。よって、全ての色成分について、基準画像を読み取って得られる画像信号を補正データとする場合に比べて、補正データを記憶するメモリの容量が少なくて済む。
【００１３】
本発明に係る画像処理装置は、前記複数の補正処理は、アナログゲイン補正、ガンマ補正、及びシェーディング補正を含むことを特徴とする。
【００１４】
本発明の画像処理装置にあっては、複数の補正処理が、アナログゲイン補正、ガンマ補正、及びシェーディング補正を含んでいる。よって、これらの補正のうちの少なくとも一つの補正処理を、アナログの画像信号からデジタルの画像信号への変換時に同時に行える。
【発明の効果】
【００１５】
本発明では、基準画像を読み取って得られる画像信号から、各種の補正処理を行うための補正データを生成し、対象画像を読み取って得られる複数の色成分毎のアナログの画像信号を増幅し、生成しておいた補正データに基づいて設定したリファレンス電圧に基づき、その増幅後のアナログの画像信号をデジタルの画像信号に変換するようにしたので、アナログの画像信号からデジタルの画像信号へ変換する際に同時に各種の補正処理を施すことができ、従来例のような多種の補正回路を設ける必要がなくなり、回路規模を大幅に縮小させることができるとともに、画像信号に対する処理時間を短縮することができる。
【００１６】
また、本発明では、複数の色成分のうちの一部の色成分については、基準画像を読み取って得られる画像信号を補正データとし、残りの色成分については、基準画像を読み取って得られる画像信号と一部の色成分の画像信号との差分信号を補正データとするようにしたので、全ての色成分について、基準画像を読み取って得られる画像信号を補正データとする場合に比べて、使用する記憶領域を少なくすることができる。
【００１７】
また、本発明では、複数の補正処理が、アナログゲイン補正、ガンマ補正、及びシェーディング補正を含むようにようにしたので、これらの補正のうちの少なくとも一つの補正処理を、特別な補正回路を設けることなくアナログの画像信号からデジタルの画像信号への変換時に同時に行えるため、回路規模の縮小化と処理時間の短縮化とを図ることができる。
【発明を実施するための最良の形態】
【００１８】
以下、本発明をその実施の形態を示す図面を参照して具体的に説明する。図１は、本発明の画像処理装置の構成を示すブロック図である。図１において、１Ｒ，１Ｇ，１Ｂはそれぞれ、Ｒ成分，Ｇ成分，Ｂ成分の画像信号を取得するイメージセンサとしてのＣＣＤである。
【００１９】
Ｒ成分の信号系統には、ＣＣＤ１Ｒに加えて、ＣＣＤ１Ｒの出力信号（アナログの画像信号）を増幅する増幅器２Ｒと、増幅器２Ｒの出力信号（増幅されたアナログの画像信号）をデジタルの画像信号に変換するＡ／Ｄ変換器３Ｒと、Ａ／Ｄ変換器３Ｒの出力信号（デジタルの画像信号）の出力先を切り換える切換回路４Ｒと、Ａ／Ｄ変換器３Ｒへリファレンス電圧を供給するＤ／Ａ変換器５Ｒとが備えられている。また全く同様に、Ｇ成分の信号系統には、ＣＣＤ１Ｇに加えて、増幅器２Ｇ、Ａ／Ｄ変換器３Ｇ、切換回路４Ｇ、及びＤ／Ａ変換器５Ｇが備えられ、Ｂ成分の信号系統には、ＣＣＤ１Ｂに加えて、増幅器２Ｂ、Ａ／Ｄ変換器３Ｂ、切換回路４Ｂ、及びＤ／Ａ変換器５Ｂが備えられている。
【００２０】
切換回路４Ｒ，４Ｇ，４Ｂの一方の出力端子ａ及びＤ／Ａ変換器５Ｒ，５Ｇ，５Ｂはデータバス９に接続されている。データバス９には、Ａ／Ｄ変換器３Ｒ，３Ｇ，３Ｂでのリファレンス電圧を設定するための補正データを格納する補正データメモリ６と、補正データを生成する際の中間データを記憶するワークメモリ７と、補正データを生成するためのソフトウェア的処理を行うとともに、上述した画像処理装置内のハードウェアの動作を制御するマイクロプロセッサ８とが接続されている。
【００２１】
ＣＣＤ１Ｒ，１Ｇ，１Ｂは、基準画像としての白基準画像または原稿などの対象画像を読み取って得られるＲ成分，Ｇ成分，Ｂ成分の各画像信号を増幅器２Ｒ，２Ｇ，２Ｂへ出力する。増幅器２Ｒ，２Ｇ，２Ｂは、入力されたアナログの画像信号を増幅してＡ／Ｄ変換器３Ｒ，３Ｇ，３Ｂへ出力する。Ａ／Ｄ変換器３Ｒ，３Ｇ，３Ｂは、Ｄ／Ａ変換器５Ｒ，５Ｇ，５Ｂから入力されるリファレンス電圧に基づいて、入力された増幅後のアナログの画像信号をデジタルの画像信号に変換し、変換したデジタルの画像信号を切換回路４Ｒ，４Ｇ，４Ｂへ出力する。
【００２２】
切換回路４Ｒ，４Ｇ，４Ｂは、Ａ／Ｄ変換器３Ｒ，３Ｇ，３Ｂからの入力信号が白基準画像の読み取りに基づく信号である場合、出力端子ａに切り換えて、そのデジタルの画像信号をワークメモリ７へ出力し、Ａ／Ｄ変換器３Ｒ，３Ｇ，３Ｂからの入力信号が対象画像の読み取りに基づく信号である場合、出力端子ｂに切り換えて、そのデジタルの画像信号を外部へ出力する。
【００２３】
ワークメモリ７は、切換回路４Ｒ，４Ｇ，４Ｂから入力された白基準画像の画像信号を記憶する。マイクロプロセッサ８は、白基準画像の画像信号をワークメモリ７から読み出し、その画像信号に応じて後述する手順に従って補正データを生成し、生成した補正データを補正データメモリ６に格納させる。マイクロプロセッサ８は、補正データを補正データメモリ６から読み出し、補正データに基づいてリファレンス電圧を設定する。設定されたリファレンス電圧は、Ｄ／Ａ変換器５Ｒ，５Ｇ，５Ｂでアナログデータに変換された後に、Ａ／Ｄ変換器３Ｒ，３Ｇ，３Ｂへ出力される。
【００２４】
以下、このような構成をなす本発明の画像処理装置の動作について説明する。まず、Ａ／Ｄ変換器３Ｒ，３Ｇ，３Ｂでのアナログ／デジタル変換時のリファレンス電圧を設定するために使用する補正データの生成処理について説明する。図２は、この補正データの生成処理の動作手順を示すフローチャートである。
【００２５】
この処理では、切換回路４Ｒ，４Ｇ，４Ｂにおいて出力端子ａに設定しておく。まず、白基準画像を読み取ってＣＣＤ１Ｒ，１Ｇ，１Ｂで得られた各色成分毎のアナログの画像信号を、最大ゲインに設定した増幅器２Ｒ，２Ｇ，２Ｂで増幅してＡ／Ｄ変換器３Ｒ，３Ｇ，３Ｂへ出力する（ステップＳ１）。
【００２６】
Ａ／Ｄ変換器３Ｒ，３Ｇ，３Ｂにて、リファレンス電圧を最大にして、アナログの画像信号を１画素単位でデジタルの画像信号に変換する（ステップＳ２）。具体的に、読み取り対象の画像の全画素数をｎとした場合に、Ａ／Ｄ変換器３Ｒは、Ｒ成分の画素単位でのレベル値Ｓｄ（Ｒ）＝（Ｒ１，Ｒ２，…，Ｒｎ）に変換し、Ａ／Ｄ変換器３Ｇは、Ｇ成分の画素単位でのレベル値Ｓｄ（Ｇ）＝（Ｇ１，Ｇ２，…，Ｇｎ）に変換し、Ａ／Ｄ変換器３Ｂは、Ｂ成分の画素単位でのレベル値Ｓｄ（Ｂ）＝（Ｂ１，Ｂ２，…，Ｂｎ）に変換する。
【００２７】
Ａ／Ｄ変換器３Ｒ，３Ｇ，３Ｂで変換された各色成分毎のレベル値Ｓｄ（Ｒ），Ｓｄ（Ｇ），Ｓｄ（Ｂ）は、切換回路４Ｒ，４Ｇ，４Ｂの出力端子ａを介してワークメモリ７に入力されて一時的に記憶される（ステップＳ３）。
【００２８】
ワークメモリ７に記憶されている各色成分毎のレベル値Ｓｄ（Ｒ），Ｓｄ（Ｇ），Ｓｄ（Ｂ）を読み出し、マイクロプロセッサ８にて、２つの色成分間（ＲとＧ、ＲとＢ）におけるレベル値の差の平均を算出する（ステップＳ４）。つまり、各画素毎に各色成分間の差を求め、それらを平均化したレベル値ＡＶＳｄ（Ｒ−Ｇ），ＡＶＳｄ（Ｒ−Ｂ）を算出する。このときのＡＶＳｄ（Ｒ−Ｇ），ＡＶＳｄ（Ｒ−Ｂ）の具体的な算出式は、下記（１），（２）で示される。
ＡＶＳｄ（Ｒ−Ｇ）＝｛（Ｒ１−Ｇ１）＋（Ｒ２−Ｇ２）＋…＋（Ｒｎ−Ｇｎ）｝／ｎ                                                                      …（１）
ＡＶＳｄ（Ｒ−Ｂ）＝｛（Ｒ１−Ｂ１）＋（Ｒ２−Ｂ２）＋…＋（Ｂｎ−Ｇｎ）｝／ｎ                                                                      …（２）
【００２９】
次いで、上記平均レベル値ＡＶＳｄ（Ｒ−Ｇ），ＡＶＳｄ（Ｒ−Ｂ）を用いて、シェーディング補正のための第１補正データ値Ｈｄ（Ｒ），Ｈｄ（Ｇ），Ｈｄ（Ｂ）を生成する（ステップＳ５）。つまり、Ｒ成分については、１画素単位毎のレベル値からマージン値”α”を減算して、Ｒ成分の第１補正データ値Ｈｄ（Ｒ）＝（Ｒ１ｈ，Ｒ２ｈ，…，Ｒｎｈ）を生成する。この場合の第１補正データ値Ｈｄ（Ｒ）の生成式は、下記（３）で示される。
Ｒ１ｈ＝Ｒ１−α
Ｒ２ｈ＝Ｒ２−α
・
Ｒｎｈ＝Ｒｎ−α      …（３）
【００３０】
また、Ｇ成分については、１画素単位毎のＲ成分の第１補正データ値Ｈｄ（Ｒ）に上記平均レベル値ＡＶＳｄ（Ｒ−Ｇ）を加算して、Ｇ成分の第１補正データ値Ｈｄ（Ｇ）＝（Ｇ１ｈ，Ｇ２ｈ，…，Ｇｎｈ）を生成する。この場合の第１補正データ値Ｈｄ（Ｇ）の生成式は、下記（４）で示される。
Ｇ１ｈ＝Ｒ１ｈ＋ＡＶＳｄ（Ｒ−Ｇ）
Ｇ２ｈ＝Ｒ２ｈ＋ＡＶＳｄ（Ｒ−Ｇ）
・
Ｇｎｈ＝Ｒｎｈ＋ＡＶＳｄ（Ｒ−Ｇ）      …（４）
【００３１】
同様に、Ｂ成分については、１画素単位毎のＲ成分の第１補正データ値Ｈｄ（Ｂ）に上記平均レベル値ＡＶＳｄ（Ｒ−Ｂ）を加算して、Ｂ成分の第１補正データ値Ｈｄ（Ｂ）＝（Ｂ１ｈ，Ｂ２ｈ，…，Ｂｎｈ）を生成する。この場合の第１補正データ値Ｈｄ（Ｂ）の生成式は、下記（５）で示される。
Ｂ１ｈ＝Ｒ１ｈ＋ＡＶＳｄ（Ｒ−Ｂ）
Ｂ２ｈ＝Ｒ２ｈ＋ＡＶＳｄ（Ｒ−Ｂ）
・
Ｂｎｈ＝Ｒｎｈ＋ＡＶＳｄ（Ｒ−Ｂ）      …（５）
【００３２】
次いで、上記第１補正データ値Ｈｄ（Ｒ），Ｈｄ（Ｇ），Ｈｄ（Ｂ）を用いて、シェーディング補正に併せてガンマ補正を行うための第２補正データ値Ｈｄγ（Ｒ），Ｈｄγ（Ｇ），Ｈｄγ（Ｂ）を生成する（ステップＳ６）。つまり、Ｒ成分については、１画素単位毎に第１補正データ値Ｈｄ（Ｒ）にガンマ補正用データＲγ１，Ｒγ２，…，Ｒγｎを加算して、第２補正データ値Ｈｄγ（Ｒ）＝（Ｒ１ｈγ，Ｒ２ｈγ，…，Ｒｎｈγ）を生成する。この場合の第２補正データ値Ｈｄγ（Ｒ）の生成式は、下記（６）で示される。      Ｒ１ｈγ＝Ｒ１ｈ＋Ｒγ１
Ｒ２ｈγ＝Ｒ２ｈ＋Ｒγ２
・
Ｒｎｈγ＝Ｒｎｈ＋Ｒγｎ      …（６）
【００３３】
Ｒ成分の場合と同様にして、Ｇ成分，Ｂ成分については、１画素単位毎に第１補正データ値Ｈｄ（Ｇ），Ｈｄ（Ｂ）にガンマ補正用データＧγ１，Ｇγ２，…，Ｇγｎ、Ｂγ１，Ｂγ２，…，Ｂγｎを加算して、第２補正データ値Ｈｄγ（Ｇ）＝（Ｇ１ｈγ，Ｇ２ｈγ，…，Ｇｎｈγ），Ｈｄγ（Ｂ）＝（Ｂ１ｈγ，Ｂ２ｈγ，…，Ｂｎｈγ）を生成する。この場合の第２補正データ値Ｈｄγ（Ｇ），Ｈｄγ（Ｂ）の生成式は、下記（７），（８）で示される。
Ｇ１ｈγ＝Ｇ１ｈ＋Ｇγ１
Ｇ２ｈγ＝Ｇ２ｈ＋Ｇγ２
・
Ｇｎｈγ＝Ｇｎｈ＋Ｇγｎ      …（７）
Ｂ１ｈγ＝Ｂ１ｈ＋Ｂγ１
Ｂ２ｈγ＝Ｂ２ｈ＋Ｂγ２
・
Ｂｎｈγ＝Ｂｎｈ＋Ｂγｎ      …（８）
【００３４】
以上のようにして生成した第２補正データ値Ｈｄγ（Ｒ），Ｈｄγ（Ｇ），Ｈｄγ（Ｂ）を、最終の補正データとして、補正データメモリ６に格納する（ステップＳ７）。
【００３５】
次に、補正データに基づいてＡ／Ｄ変換器３Ｒ，３Ｇ，３Ｂでのアナログ／デジタル変換時のリファレンス電圧を設定し、対象画像を読み取って得られる画像信号をこの設定したリファレンス電圧でアナログ／デジタル変換して出力する処理について説明する。図３は、この画像信号に対する処理の動作手順を示すフローチャートである。
【００３６】
切換回路４Ｒ，４Ｇ，４Ｂにおいて出力端子ｂに設定しておく。対象画像を読み取ってＣＣＤ１Ｒ，１Ｇ，１Ｂで得られたＲ成分，Ｇ成分，Ｂ成分のアナログの画像信号が、増幅器２Ｒ，２Ｇ，２Ｂで増幅された後に、Ａ／Ｄ変換器３Ｒ，３Ｇ，３Ｂへ出力される（ステップＳ１１）。
【００３７】
この出力タイミングに同期して、補正データメモリ６に格納されているＲ成分用，Ｇ成分用，Ｂ成分用の補正データ（Ｒ１ｈγ，Ｒ２ｈγ，…，Ｒｎｈγ、Ｇ１ｈγ，Ｇ２ｈγ，…，Ｇｎｈγ、Ｂ１ｈγ，Ｂ２ｈγ，…，Ｂｎｈγ）が読み出され、その補正データに基づいて各画素毎にリファレンス電圧が設定され、設定されたリファレンス電圧がＤ／Ａ変換器５Ｒ，５Ｇ，５Ｂを介してＡ／Ｄ変換器３Ｒ，３Ｇ，３Ｂへ出力される（ステップＳ１２）。
【００３８】
Ａ／Ｄ変換器３Ｒ，３Ｇ，３Ｂにて、入力されたリファレンス電圧に基づき、Ｒ成分，Ｇ成分，Ｂ成分のアナログの画像信号がデジタルの画像信号に変換される（ステップＳ１３）。変換されたデジタルの画像信号は切換回路４Ｒ，４Ｇ，４Ｂの出力端子ｂを介して外部へ出力される（ステップＳ１４）。
【００３９】
以上のようにして、アナログゲイン補正処理、ガンマ補正処理、シェーディング補正処理が施されたデジタルの画像信号が、切換回路４Ｒ，４Ｇ，４Ｂの出力端子ｂを介して外部へ出力されることになる。この例では、Ｒ成分，Ｇ成分，Ｂ成分毎に画像処理系統を備えているため、各色成分での処理を並列的に行うことができて、処理速度は速い。
【００４０】
なお、上述した実施の形態では、点順次方式にて画像信号を処理する例について説明したが、共有する１つの処理系統で３つの色成分の画像信号を処理する線順次方式についても、本発明を同様に適用できる。図４は、線順次処理に対応する本発明の画像処理装置の構成を示すブロック図である。図４において、図１と同一部分には同一番号を付している。
【００４１】
この例では、増幅されたアナログの画像信号をデジタルの画像信号に変換するＡ／Ｄ変換器３と、Ａ／Ｄ変換器３の出力信号の出力先を切り換える切換回路４と、Ａ／Ｄ変換器３へリファレンス電圧を供給するＤ／Ａ変換器５とを一系統だけ備えており、Ｒ成分，Ｇ成分，Ｂ成分で共有している。また、増幅器２Ｒ，増幅器２Ｇ，増幅器２Ｂの何れかの出力信号を選択して、Ａ／Ｄ変換器３へ供給する選択回路１０が設けられている。
【００４２】
線順次方式にあっても、前述した点順次方式と同様に、白基準画像を読み取ってＣＣＤ１Ｒ，１Ｇ，１Ｂで得られた各色成分毎のアナログの画像信号に基づいて、Ｒ成分，Ｇ成分，Ｂ成分毎に補正データを生成して、補正データメモリ６に格納する。但し、画像処理系統が１系統しかないので、例えばＲ成分，Ｇ成分，Ｂ成分の順番で順次、この処理を行う。
【００４３】
そして、線順次方式にあっては、まず、Ｒ成分用の補正データ（Ｒ１ｈγ，Ｒ２ｈγ，…，Ｒｎｈγ）が補正データメモリ６から読み出され、その補正データに基づいて各画素毎にリファレンス電圧が設定され、設定されたリファレンス電圧がＤ／Ａ変換器５を介してＡ／Ｄ変換器３へ出力される。入力されたリファレンス電圧に基づきＡ／Ｄ変換器３で、対象画像を読み取って得られたＲ成分のアナログの画像信号が増幅処理後にデジタルの画像信号に変換され、変換されたデジタルの画像信号は切換回路４の出力端子ｂを介して外部へ出力される。Ｒ成分における全画素の処理を行った後、Ｒ成分と同様に、残りのＧ成分に関する全画素の処理、Ｂ成分に関する全画素の処理が順次行われる。
【００４４】
ところで、図４に示す画像処理装置において、１画素毎にＲ成分，Ｇ成分，Ｂ成分の順番で順次選択回路１０で選択するようにすれば、図４の回路構成で点順次方式を実現することも可能である。図４の画像処理装置では、図１に示す画像処理装置に比べて、処理速度は遅くなるが、回路構成を小型化できる利点がある。
【００４５】
なお、上述した実施の形態では、対象画像を読み取る前に、生成した補正データＨｄγ（Ｒ），Ｈｄγ（Ｇ），Ｈｄγ（Ｂ）を予め補正データメモリ６に格納しておくようにしたが、これに限らず、レベル値Ｓｄ（Ｒ），Ｓｄ（Ｇ），Ｓｄ（Ｂ）をワークメモリ７に記憶しておき、対象画像を読み取る際に、これらのレベル値から補正データＨｄγ（Ｒ），Ｈｄγ（Ｇ），Ｈｄγ（Ｂ）を生成するようにしても良い。
【００４６】
上述した実施の形態では、各色成分毎に全ての画素について補正データを補正データメモリ６に格納しているが、これでは補正データメモリ６に大きな容量が必要となる。以下、補正データメモリ６の容量が少なくても済む手法について説明する。
【００４７】
各色成分において、全画素の補正データを格納するのではなく、一定間隔で間引いた画素の補正データだけを補正データメモリ６に格納する。または、各色成分において、全画素の補正データを格納するのではなく、複数の画素における補正データを平均化して補正データメモリ６に格納する。
【００４８】
また、次のように差分データを利用する手法もある。Ｒ成分については、第２補正データ値Ｈｄγ（Ｒ）を補正データとして補正データメモリ６に格納し、他のＧ成分，Ｂ成分については、Ｒ成分とＧ成分との差分データＤＨｄγ（Ｒ−Ｇ）＝（Ｒ１ｈγ−Ｇ１ｈγ，Ｒ２ｈγ−Ｇ２ｈγ，…，Ｒｎｈγ−Ｇｎｈγ）、Ｒ成分とＢ成分との差分データＤＨｄγ（Ｒ−Ｂ）＝（Ｒ１ｈγ−Ｂ１ｈγ，Ｒ２ｈγ−Ｂ２ｈγ，…，Ｒｎｈγ−Ｂｎｈγ）を生成して、それらの差分データＤＨｄγ（Ｒ−Ｇ），ＤＨｄγ（Ｒ−Ｂ）を補正データとして補正データメモリ６に格納しておく。このようにしておいても、対象画像を読み取る際に、Ｈｄγ（Ｒ）にＤＨｄγ（Ｒ−Ｇ）を加算、また、Ｈｄγ（Ｒ）にＤＨｄγ（Ｒ−Ｂ）を加算して、第２補正データ値Ｈｄγ（Ｇ），Ｈｄγ（Ｂ）を生成することが可能であって問題はない。
【００４９】
このような差分データの利用手法に、上述した間引き手法または平均化手法を組み合わせることも可能である。即ち、Ｒ成分とＧ成分との差分データＤＨｄγ（Ｒ−Ｇ），Ｒ成分とＢ成分との差分データＤＨｄγ（Ｒ−Ｂ）を全ての画素について格納しておくのではなく、一定間隔で間引いた画素についてのみこれらの差分データを補正データメモリ６に格納する。また、全ての画素について差分データを格納するのではなく、複数の画素における差分データを平均化して補正データメモリ６に格納する。
【００５０】
なお、上述した実施の形態では、アナログゲイン補正、ガンマ補正、及びシェーディング補正を行うための補正データを生成して、これらの補正処理をアナログ／デジタル変換時に同時に行うようにしたが、これに限らず、エッジ強調補正などの他の補正処理を更に加えるようにしても良い。任意の複数の補正処理の組み合わせに対して、本発明は適用可能である。
【図面の簡単な説明】
【００５１】
【図１】本発明の画像処理装置の構成を示すブロック図である。
【図２】補正データの生成処理の動作手順を示すフローチャートである。
【図３】対象画像を読み取って得られる画像信号に対する処理の動作手順を示すフローチャートである。
【図４】本発明の画像処理装置の他の構成を示すブロック図である。
【図５】従来の画像処理装置の構成を示すブロック図である。
【符号の説明】
【００５２】
１Ｒ，１Ｇ，１Ｂ  ＣＣＤ（イメージセンサ）
２Ｒ，２Ｇ，２Ｂ  増幅器
３Ｒ，３Ｇ，３Ｂ，３  Ａ／Ｄ変換器
４Ｒ，４Ｇ，４Ｂ，４  切換回路
５Ｒ，５Ｇ，５Ｂ，５  Ｄ／Ａ変換器
６  補正データメモリ
７  ワークメモリ
８  マイクロプロセッサ
【図１】
2007049396.tif 000003
【図２】
2007049396.tif 000004
【図３】
2007049396.tif 000005
【図４】
2007049396.tif 000006
【図５】
2007049396.tif 000007